(57)【特許請求の範囲】
【請求項１】
被写体の撮影によって作成された撮影画像に対する編集処理により、該撮影画像と合成用画像とを合成した編集画像を作成する編集画像作成手段と、
該編集画像作成手段が作成した編集画像を表示する編集画像表示部と、
サイズごとに、該サイズへの変形による上記合成用画像の視認性の悪化が回避された提供用画像を記憶する画像記憶部と、
上記編集画像作成手段が作成した編集画像における合成用画像に対応する、変更すべきサイズの提供用画像を上記画像記憶部から取得する変更サイズ画像取得手段と、
該変更サイズ画像取得手段が取得した提供用画像と、上記編集画像作成手段が作成した編集画像における撮影画像を上記変更すべきサイズに適合するように変形した撮影画像とを合成する画像合成手段と、
該画像合成手段が合成した画像を出力する画像出力部とを備えることを特徴とする画像編集出力装置。
【請求項２】
被写体の撮影によって作成された撮影画像に対する編集処理により、該撮影画像と合成用画像とを合成した編集画像を作成する編集画像作成手段と、
該編集画像作成手段が作成した編集画像を表示する編集画像表示部と、
上記編集画像作成手段が作成した編集画像における合成用画像から、縮小すべきサイズの部分を抽出し、抽出した部分を上記縮小すべきサイズの合成用画像として取得する変更サイズ画像取得手段と、
該変更サイズ画像取得手段が取得した合成用画像と、上記編集画像作成手段が作成した編集画像における撮影画像を上記縮小すべきサイズに適合するように変形した撮影画像とを合成する画像合成手段と、
該画像合成手段が合成した画像を出力する画像出力部とを備えることを特徴とする画像編集出力装置。
【請求項３】
被写体の撮影によって作成された撮影画像に対する編集処理により、該撮影画像と、１または複数のパーツ画像を配置した画像である合成用画像とを合成した編集画像を作成する編集画像作成手段と、
該編集画像作成手段が作成した編集画像を表示する編集画像表示部と、
上記編集画像作成手段が作成した編集画像における合成用画像に対して、上記パーツ画像の位置関係を、変更すべきサイズに適合するように変形する一方で、上記パーツ画像を、上記合成用画像のサイズに対する上記変更すべきサイズの倍率よりも抑制された倍率で変形することにより、上記変更すべきサイズの合成用画像を取得する変更サイズ画像取得手段と、
該変更サイズ画像取得手段が取得した合成用画像と、上記編集画像作成手段が作成した編集画像における撮影画像を上記変更すべきサイズに適合するように変形した撮影画像とを合成する画像合成手段と、
該画像合成手段が合成した画像を出力する画像出力部とを備えることを特徴とする画像編集出力装置。
【請求項４】
上記画像出力部は、上記画像合成手段が合成した画像を外部の通信装置に送信する送信部であることを特徴とする請求項１ないし３の何れか１項に記載の画像編集出力装置。
【請求項５】
上記画像出力部は、上記画像合成手段が合成した画像を印刷媒体に印刷する印刷部であることを特徴とする請求項１ないし４の何れか１項に記載の画像編集出力装置。
【請求項６】
被写体を撮影した画像に編集を施してプリントする写真撮影プリント装置であって、
被写体の撮影を行う撮影部と、
請求項５に記載の画像編集出力装置とを備えることを特徴とする写真撮影プリント装置。
【請求項７】
請求項１ないし５の何れか１項に記載の画像編集出力装置を動作させるための画像編集出力装置制御プログラムであって、コンピュータを上記各手段として機能させるための画像編集出力装置制御プログラム。
【請求項８】
請求項７に記載の画像編集出力装置制御プログラムが記録されたコンピュータ読取り可能な記録媒体。
【請求項９】
画像編集出力装置の制御方法であって、
被写体の撮影によって作成された撮影画像に対する編集処理により、該撮影画像と合成用画像とを合成した編集画像を作成する編集画像作成ステップと、
該編集画像作成ステップにて作成された編集画像を編集画像表示部にて表示する編集画像表示ステップと、
サイズごとに、該サイズへの変形による上記合成用画像の視認性の悪化が回避された提供用画像を記憶する画像記憶部から、上記編集画像作成ステップにて作成された編集画像における合成用画像に対応する、変更すべきサイズの提供用画像を取得する変更サイズ画像取得ステップと、
該変更サイズ画像取得ステップにて取得された提供用画像と、上記編集画像作成ステップにて作成された編集画像における撮影画像を上記変更すべきサイズに適合するように変形した撮影画像とを合成する画像合成ステップと、
該画像合成ステップにて合成された画像を画像出力部にて出力する画像出力ステップとを含むことを特徴とする画像編集出力装置の制御方法。
【請求項１０】
画像編集出力装置の制御方法であって、
被写体の撮影によって作成された撮影画像に対する編集処理により、該撮影画像と合成用画像とを合成した編集画像を作成する編集画像作成ステップと、
該編集画像作成ステップにて作成された編集画像を編集画像表示部にて表示する編集画像表示ステップと、
上記編集画像作成ステップにて作成された編集画像における合成用画像から、縮小すべきサイズの部分を抽出し、抽出した部分を上記縮小すべきサイズの合成用画像として取得する変更サイズ画像取得ステップと、
該変更サイズ画像取得ステップにて取得された合成用画像と、上記編集画像作成ステップにて作成された編集画像における撮影画像を上記縮小すべきサイズに適合するように変形した撮影画像とを合成する画像合成ステップと、
該画像合成ステップにて合成された画像を画像出力部にて出力する画像出力ステップとを含むことを特徴とする画像編集出力装置の制御方法。
【請求項１１】
画像編集出力装置の制御方法であって、
被写体の撮影によって作成された撮影画像に対する編集処理により、該撮影画像と、１または複数のパーツ画像を配置した画像である合成用画像とを合成した編集画像を作成する編集画像作成ステップと、
該編集画像作成ステップにて作成された編集画像を編集画像表示部にて表示する編集画像表示ステップと、
上記編集画像作成ステップにて作成された編集画像における合成用画像に対して、上記パーツ画像の位置関係を、変更すべきサイズに適合するように変形する一方で、上記パーツ画像を、上記合成用画像のサイズに対する上記変更すべきサイズの倍率よりも抑制された倍率で変形することにより、上記変更すべきサイズの合成用画像を取得する変更サイズ画像取得ステップと、
該変更サイズ画像取得ステップにて取得された合成用画像と、上記編集画像作成ステップにて作成された編集画像における撮影画像を上記変更すべきサイズに適合するように変形した撮影画像とを合成する画像合成ステップと、
該画像合成ステップにて合成された画像を画像出力部にて出力する画像出力ステップとを含むことを特徴とする画像編集出力装置の制御方法。
【発明の詳細な説明】
【技術分野】
【０００１】
本発明は、撮影画像に対し編集処理を施して出力する画像編集出力装置およびその制御方法、写真撮影プリント装置、画像編集出力装置制御プログラム、ならびに該プログラムを記録した記録媒体に関するものである。具体的には、本発明は、被写体を撮影した画像に編集を施してプリントする写真撮影プリント装置などに関するものである。
【背景技術】
【０００２】
従来、ゲームセンタなどの娯楽施設において、ユーザの写真撮影を行うとともに、その写真を背景画像などと合成した上でシールプリントとして出力する写真撮影プリント装置が設置されており、人気を博している。
【０００３】
図１８に、従来の写真撮影プリント装置による、撮影から写真プリントまでのゲームのフローを示す。図１８に示すとおり、まず、ユーザは、撮影空間にて撮影を行う（Ｓ１）。そして、Ｓ１の撮影により生成された撮影画像に対して、ユーザは、編集空間にて落書きや明るさの調整、背景画像の合成などの編集を行う（Ｓ２）。そして、編集後の編集画像がシールプリントとして出力され（Ｓ３）、ゲームが終了する。
【０００４】
ここで、Ｓ２の編集の処理においては、特に、表示画面上に表示した撮影画像に対してタッチペンなどのポインティングデバイスによって明るさや色調を補正したり、背景画像を合成したり、落書きやスタンプを追加したりするなどの多種多様な画像編集を行ってユーザが遊ぶことができる（例えば、特許文献１参照）。そして、ユーザは、撮影よりも編集に重点をおきながら遊んでいる傾向がある。
【０００５】
一方、Ｓ３の印刷の処理においては、シール紙をユーザの所望する数の領域に分割し、各分割領域に上記編集画像のプリントが行われる。このため、上記分割領域のサイズが小さいと、上記編集画像を縮小してプリントすることになるが、その結果、上記画像編集で撮影画像に追加したスタンプ画像、線、文字などの画像が小さくなり過ぎて確認が困難になったり、いびつな形状となったりするという問題点が生じる。本明細書では、過度の縮小によって、画像の確認が困難となったり、形状が変化したりすることを総称して「画像が潰れる」と表現することにする。
【０００６】
図１９（ａ）〜図１９（ｃ）は、上記問題点を具体的に示すものである。同図（ａ）は、上記画像編集後に保存された編集画像を示しており、サイズはＡ５判サイズを８分割したＡ８判サイズものとなっている。これに対し、同図（ｂ）は、上記編集画像を半分に縮小したものである。この場合、前景画像（星印のフレーム画像）が稍潰れた状態となっている。さらに同図（ｃ）は、上記編集画像を１／４に縮小したものである。この場合、前景画像が完全に潰れた状態となっている。このような画像が印刷されると、ユーザの満足度が低下することになる。
【０００７】
上記問題点に対し、特許文献２に記載の写真撮影プリント装置では、画像編集を行う前に印刷画像のサイズを選択させ、それに応じた付加画像（スタンプ画像）の大きさレベルの判定を行い、小さい印刷画像サイズを選択した場合、編集時に小さいスタンプ画像の使用を制限している。これにより、所定値以上の大きさの付加画像のみがユーザに選択されることになるので、小さい印刷画像サイズでも、画像の潰れを回避することができる。
【特許文献１】特開２０００−６９４０４（２０００年３月３日公開）
【特許文献２】特開２００３−３３３４７６（２００３年１１月２１日公開）
【発明の開示】
【発明が解決しようとする課題】
【０００８】
しかしながら、特許文献２に記載の方法では、画像編集を行う前に印刷画像のサイズを選択する必要があり、画像編集後の完成した編集画像を参照しながら印刷レイアウトを選択するという、ユーザの選択の幅を狭める結果となっていた。
【０００９】
本発明は、上記の問題点に鑑みてなされたものであり、その目的は、ユーザの選択の幅を狭めることなく、編集画像の変形による視認性の悪化を回避できる画像編集出力装置などを提供することにある。
【課題を解決するための手段】
【００１０】
本発明に係る画像編集出力装置は、被写体の撮影によって作成された撮影画像に対する編集処理により、編集画像を作成する編集画像作成手段と、作成した編集画像のサイズを変更する画像サイズ変更手段と、変更した編集画像を出力する画像出力部とを備える画像編集出力装置であって、上記課題を解決するために、上記編集画像作成手段が作成する編集画像は、上記撮影画像と、１または複数の合成用画像とを合成したものであり、上記画像サイズ変更手段は、変更すべきサイズの合成用画像を取得する変更サイズ画像取得手段と、取得した合成用画像と、上記変更すべきサイズに適合するように変形した撮影画像とを合成する画像合成手段とを備えることを特徴としている。
【００１１】
また、本発明に係る画像編集出力装置の制御方法は、被写体の撮影によって作成された撮影画像に対する編集処理により、編集画像を作成する編集画像作成ステップと、作成した編集画像のサイズを変更する画像サイズ変更ステップと、変更した編集画像を出力する画像出力ステップとを含む画像編集出力装置の制御方法であって、上記課題を解決するために、上記編集画像作成ステップにて作成される編集画像は、上記撮影画像と、１または複数の合成用画像とを合成したものであり、上記画像サイズ変更ステップは、変更すべきサイズの合成用画像を取得する変更サイズ画像取得ステップと、取得した合成用画像と、上記変更すべきサイズに適合するように変形した撮影画像とを合成する画像合成ステップとを含むことを特徴としている。
【００１２】
ここで、合成用画像の例としては、フレーム画像、背景画像、スタンプ画像などが挙げられる。
【００１３】
上記の構成および方法によれば、変更すべきサイズの合成用画像を取得し、取得した合成用画像と、上記変更すべきサイズに適合するように変形した撮影画像とを合成している。すなわち、撮影画像に関しては、上記変更すべきサイズに適合するように、縮小、拡大などの変形を行うが、合成用画像に関しては、上記変更すべきサイズの合成用画像を取得している。したがって、編集画像を変形による視認性の悪化、すなわち縮小による画像の潰れや、拡大による画像の不均衡を回避できる。また、上記変更すべきサイズの合成用画像を取得することは、編集処理の後に行われ、編集画像を作成する段階で行う必要が無い。したがって、画像編集を行う前に、変更すべきサイズを決定する必要が無く、ユーザの選択の幅を狭めることが無い。
【００１４】
なお、上記変更サイズ画像取得手段が、変更すべきサイズの合成用画像を取得する手法としては、種々のものが考えられる。
【００１５】
例えば、本発明に係る画像編集出力装置では、上記合成用画像をサイズごとに記憶する画像記憶部をさらに備えており、上記変更サイズ画像取得手段は、上記変更すべきサイズの合成用画像を上記画像記憶部から取得してもよい。
【００１６】
また、本発明に係る画像編集出力装置では、上記変更サイズ画像取得手段は、元の上記合成用画像から、上記変更すべきサイズ分を抽出することにより、上記変更すべきサイズの合成用画像を取得してもよい。この場合、画像記憶部に記憶する画像の量を減らすことができる。
【００１７】
また、本発明に係る画像編集出力装置では、元の上記合成用画像は、１または複数のパーツ画像を配置した画像であり、上記変更サイズ画像取得手段は、元の上記合成用画像に対して、上記パーツ画像の位置関係を、上記変更すべきサイズに適合するように変形する一方で、上記パーツ画像を、上記変更すべきサイズよりも抑制されたサイズに変形することにより、上記変更すべきサイズの合成用画像を取得してもよい。
【００１８】
ここで、パーツ画像の例としては、スタンプ画像、フレーム画像、背景画像、背景画像における模様や柄などが挙げられる。
【００１９】
なお、上記画像出力部としては、種々のものが考えられる。例えば、上記画像出力部は、上記変更した編集画像を外部の通信装置に送信する送信部であってもよい。ここで、上記送信部は、有線および無線の何れで送信してもよいし、赤外線、ラジオ波などを用いて外部の通信装置に直接送信してもよいし、通信ネットワークを介して外部の通信装置に送信してもよい。
【００２０】
また、上記画像出力部は、上記変更した編集画像を上記印刷媒体に印刷する印刷部であってもよい。その他、上記画像出力部は、上記変更した編集画像を表示する表示部であってもよいし、上記変更した編集画像を外部記録媒体に記録する外部記録部であってもよい。
【００２１】
なお、被写体を撮影した画像に編集を施してプリントする写真撮影プリント装置であって、被写体の撮影を行う撮影部と、上記構成の画像編集出力装置とを備える写真撮影プリント装置であっても、上述の効果と同様の効果を奏することができる。
【００２２】
なお、上記画像編集出力装置における各手段を、画像編集出力装置制御プログラムによりコンピュータ上で機能させることができる。さらに、上記画像編集出力装置制御プログラムをコンピュータ読取り可能な記録媒体に記憶させることにより、任意のコンピュータ上で上記画像編集出力装置制御プログラムを実行させることができる。
【発明の効果】
【００２３】
本発明に係る画像編集出力装置は、以上のように、合成用画像に関しては、上記変更すべきサイズの合成用画像を取得しているので、編集画像を変形することによる合成用画像の視認性の悪化を回避できるという効果を奏する。また、上記変更すべきサイズの合成用画像を取得することは、編集処理の後に行われ、編集画像を作成する段階で行う必要が無いので、画像編集を行う前に、変更すべきサイズを決定する必要が無く、ユーザの選択の幅を狭めることが無いという効果を奏する。
【発明を実施するための最良の形態】
【００２４】
本発明の一実施形態について図面に基づいて説明すると以下の通りである。
【００２５】
〔写真撮影プリント装置の外観〕
図２（ａ）および図２（ｂ）は、本実施形態に係る写真撮影プリント装置（画像編集出力装置）１の外観を示す斜視図である。この写真撮影プリント装置１は、ユーザの写真を撮影する撮影部２と、撮影した写真（撮影画像）に対して落書きなどの編集をユーザに行わせる編集部３と、ユーザが編集を行った写真（編集画像）をプリント紙に出力する印刷部４とを有している。図２（ａ）は写真撮影プリント装置１における撮影部２側からの外観を示し、図２（ｂ）は編集部３および印刷部４側からの外観を示している。
【００２６】
図３は、撮影部２の正面図である。撮影部２は、ユーザの写真撮影を実行するものである。撮影部２は、硬貨処理部２１、照明部２２、カメラ部２３、撮影画像表示部２４、および、カメラ画像表示部２５などから構成されている。さらに、本実施形態では、撮影部２は、撮影画像表示部２４に表示される撮影画像をユーザが選択するなど、撮影部２を操作するための操作部２６（図示せず）を備えている。
【００２７】
なお、撮影部２には、ユーザの貴重品などの携行品を保管するための荷物置き場１２２を設けることが可能である。荷物置き場１２２の設置場所は特に限定されないが、撮影部２において空いている空間を有効利用することが好ましい。
【００２８】
より具体的には、図３に示すとおり、撮影画像表示部２４や硬貨処理部２１は、カメラ部２３の画角の邪魔にならないように、カメラ部２３の右側に設置されている。撮影部２がカメラ部２３を中心に左右対称の構造である場合、カメラ部２３の画角の邪魔にならずに、撮影画像表示部２４や硬貨処理部２１が設置されているスペースの対称のスペース（カメラ部２３の左側）も広く利用することができる。そのため、同スペースを荷物置き場１２２として、有効利用することができる。また、同スペースは撮影正面部であって、撮影時でもユーザの視界に入るため、防犯の効果が期待できる。
【００２９】
なお、写真撮影プリント装置１は、上述の各部を制御することにより、写真撮影プリント装置１における各種動作を制御する制御部１０を備えている。上述の各部および制御部１０の詳細については後述する。
【００３０】
図４は、編集部３ａの正面図である。なお、編集部３ｂの構成は、編集部３ａと同様であるので、ここでは図示しない。編集部３ｂは、編集部３ａの対面に設けられている。以下では、まとめて編集部３として説明する。
【００３１】
編集部３は、ユーザが撮影部２による撮影工程を終了した後に、撮影画像に対して落書きなどの編集工程を実行するためのものであり、タッチパネル部３１、タッチペン３２、および、音声出力部３３などで構成される。編集部３の各部は、制御部１０によって制御される。上述の各部の詳細については後述する。
【００３２】
図５は、印刷部４の正面図である。本実施形態では、編集部３ａおよび編集部３ｂの側面に印刷部４を設けており、したがって、図５は、編集部３の側面を表している。印刷部４は、ユーザが編集部３による編集工程を終了した後の編集画像をシール紙にプリントして、プリントしたシール紙を排出するものである。本実施形態では、編集部３側面に、プリント排出口４４ａおよび４４ｂが設けられており、編集部３ａにて編集が行われた編集画像のシール紙は、プリント排出口４４ａから排出され、編集部３ｂにて編集が行われた編集画像のシール紙は、プリント排出口４４ｂから排出される。
【００３３】
図６は、写真撮影プリント装置１の上面図である。上述のような構成の写真撮影プリント装置１において、ユーザは、まず撮影部２が備えられた撮影空間２０に入って撮影工程を実行し、その後、編集部３（編集部３ａまたは編集部３ｂ）が備えられた編集空間（編集空間３０ａまたは編集空間３０ｂ）に移動して編集工程を実行し、印刷部４により撮影画像または編集画像のプリントされたシール紙を印刷空間４０にて受け取る、という流れでゲームの一連の工程を楽しむ。なお、図６に示すＸおよびＹは、ユーザの各グループを示している。ユーザグループＸが撮影を終えて、編集空間３０ａに移動すると、次に、ユーザグループＹが撮影空間２０にて撮影を行う。撮影を終えたユーザグループＹは、編集空間３０ａではなく、編集空間３０ｂに移動して、編集を行う。これにより、後に入ったユーザグループＹの撮影処理が終了した時点で、ユーザグループＸが編集空間３０ａでの編集処理を終えていなくても、ユーザグループＹは、待ち時間が発生することなく、すぐに編集工程に移ることが可能となる。
【００３４】
なお、本実施形態に係る写真撮影プリント装置１は図２（ａ）、図２（ｂ）、および、図６に示すとおり、編集部３を２つ備える構造となっており、第１の編集部３ａと第２の編集部３ｂとが対面に設置されている。このように、編集部３を撮影部２よりも多く設けることで、ボトルネックとなっている編集工程に係る処理時間を分散し、回転率の向上させることが可能である。しかし、本発明の写真撮影プリント装置１は、上述の構成に限定されない。編集部３の設置位置は特に限定しないし、また、設置数も、編集部３を１つ設ける構成としてもよいし、設置場所が確保できれば、３つ以上の編集部３を設けるようにしてもよい。
【００３５】
〔写真撮影プリント装置の構成−概要〕
次に、図１を用いて、写真撮影プリント装置１における制御部１０および写真撮影プリント装置１の各部の動作について説明する。図１は、本実施形態に係る写真撮影プリント装置１の要部構成を示すブロック図である。
【００３６】
本発明の写真撮影プリント装置１は、図１に示すとおり、撮影部２、編集部３、印刷部４、制御部１０、および、記録部５０を備えた構成となっている。
【００３７】
制御部１０は、写真撮影プリント装置１が備える上述の各部の動作を統括的に制御するものである。この制御部１０は、例えばＰＣ（personal computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１０がインターネットなどの通信ネットワークに接続された構成とする場合、この通信ネットワークを介して上記プログラムをダウンロードしてハードディスクなどにインストールして実行する形態なども考えられる。
【００３８】
写真撮影プリント装置１は、上記したハードディスクなどの不揮発性の記憶装置によって構成される記録部５０を備える。この記録部５０に記憶される内容としては、上記制御プログラム、ＯＳ（Operating System）プログラム、その他の各種プログラム、カメラ部２３における動作設定値、撮影画像および編集画像の画像データなどが挙げられる。上記カメラ部２３における動作設定値としては、写真撮影プリント装置１出荷時やメンテナンス時などに設定されるホワイトバランスの値、撮影画像の明暗などを調整する際の画像処理に関する各種パラメータ値などが挙げられる。
【００３９】
視認性の悪化した画像の印刷を阻止するための制御部１０の構成および記録部５０の詳細については後述する。
【００４０】
撮影部２は、撮影工程を実行するものであり、硬貨処理部２１、照明部２２、カメラ部２３、撮影画像表示部２４、カメラ画像表示部２５、および、操作部２６により構成されている。なお、ここには図示しないが、撮影部２には、ユーザにある動作を促すよう音声案内を行うための音声出力部が含まれていてもよい。
【００４１】
硬貨処理部２１は、図３に示す硬貨投入／返却口１２１にて出し入れされる硬貨についての処理を行うものである。硬貨投入／返却口１２１は、ユーザが写真撮影プリント装置１の利用料金として所定の硬貨を所定枚数だけ投入するための投入口、および、ユーザに返却されるべき所定額の硬貨を排出するための排出口である。硬貨投入／返却口１２１は、図３に示すとおり、撮影部２の適所に配備されればよい。この硬貨投入／返却口１２１に連通して、硬貨処理部２１が写真撮影プリント装置１の内部に設けられている。
【００４２】
硬貨処理部２１は、所定の硬貨が投入されたか否かを判定する。所定の硬貨が投入されたと判定した場合には、制御部１０に通知し、投入された硬貨を、硬貨を蓄積する硬貨容器（図示せず）に送り出す。一方、所定の硬貨以外の硬貨が投入されたと判定した場合には、投入された硬貨を再び硬貨投入／返却口１２１に送り出す。
【００４３】
なお、紙幣や硬貨を所定の硬貨に両替する両替機が写真撮影プリント装置１の近くに存在しない場合には、新たに紙幣投入口を設けて、紙幣処理装置を設けたり、釣銭処理装置を設けたりすることが望ましい。
【００４４】
硬貨処理部２１は、前述のように、硬貨投入／返却口１２１から所定の硬貨が投入されたと判定すると、制御部１０に通知する。そして、制御部１０は、硬貨処理部２１からの通知を受け取ると、課金処理を行う。すなわち、制御部１０は、硬貨処理部２１からの通知をカウントし、ユーザが投入した金額に応じて、ユーザに対する各種動作を制御する。
【００４５】
照明部２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【００４６】
カメラ部２３は、主にユーザを被写体として写真撮影を行うものであり、例えばレンズ群、絞り、ＣＣＤ（charge coupled device）撮像素子などを備えたデジタルカメラによって構成される。カメラ部２３は、全身撮影とクローズアップ撮影との両方に対応できるように、例えば使用するレンズ群および絞りを切り換えられるような構成となっている。
【００４７】
撮影画像表示部２４は、ユーザにユーザインターフェイスを提供するものであり、各種画像や各種操作ボタン等を表示する。操作部２６は、写真撮影プリント装置１に対するゲームの操作をユーザが行うための指示信号を入力する入力デバイスである。本実施形態では、操作部２６を撮影画像表示部２４と一体としたタッチパネルとして実現する。すなわち、撮影画像表示部２４に、操作ボタンなどのＧＵＩ画面を表示する。撮影画像表示部２４の表示画面がユーザの指（または、タッチペンなどのポインティングデバイス）により押下されることにより、その位置に対応するボタンや画像を示す指示信号が、写真撮影プリント装置１内部に入力される。
【００４８】
撮影画像表示部２４は、例えば、液晶表示素子等のフラットパネルディスプレイやＣＲＴなどの表面にタッチパネルが設けられて構成されている。カメラ部２３が撮影した撮影画像を撮影画像表示部２４に表示することにより、ユーザは、撮影画像を確認することができる。なお、本実施形態では、操作部２６を撮影画像表示部２４と一体に設けたタッチパネルとして構成することとしたが、これに限定されず、操作部２６を、例えば、テンキーや十字キーなどが設けられたリモコンや、キーボードなどの入力デバイスとして構成してもよい。
【００４９】
カメラ画像表示部２５は、カメラ部２３がとらえるリアルタイムの映像、すなわち、撮影前のライブビュー画像を表示するものである。カメラ画像表示部２５にライブビュー画像を表示することにより、ユーザは前もって写りを確認して撮影に臨むことができる。
【００５０】
編集部３は、編集工程を実行するものであり、タッチパネル部３１およびタッチペン３２により構成されている。編集部３には、さらに、音声出力部３３が含まれていてもよい。
【００５１】
タッチパネル部３１は、ユーザにユーザインターフェイスを提供するものであり、編集画像表示部３１ａおよび操作受付部３１ｂにより構成される。編集画像表示部３１ａは、編集工程における編集の対象となる画像（編集対象画像）や、撮影画像に編集を施した結果（編集画像）を表示するものである。操作受付部３１ｂは、タッチペンなどのポインティングデバイスを用いることにより入力されたユーザの指示信号を受け付けて、写真撮影プリント装置１内部に伝達するものである。
【００５２】
タッチペン３２は、画像編集処理などにおいて、タッチパネル部３１上で細かな操作入力をユーザが行うためのものであり、タッチパネル部３１の近くに配備される。ユーザは、このタッチペン３２をタッチパネル部３１に接触または接近させることによって、処理の進行に応じて表示されるボタンを選択したり、落書きなどの画像描画を行ったりすることができる。
【００５３】
例えば、タッチパネル部３１の画面がタッチペン３２で押下されることにより、その位置に対応するボタンや画像を示す指示信号が、写真撮影プリント装置１内部に入力される。これにより、ユーザは、撮影画像に落書きを施したり、スタンプを押したり、また、印刷の対象となる印刷対象画像を選択したりすることができる。
【００５４】
なお、本実施形態では、複数のユーザが容易に画像編集を行うようにするために、タッチペン３２を２本配備しているが、構成の簡略化のために、１本のみを配備することもできるし、３人以上のユーザのために、３本以上を配備することもできる。同様に、タッチペン３２を複数個配備することもできる。
【００５５】
音声出力部３３は、各種操作上のガイダンス音声や効果音などを出力するものであり、写真撮影プリント装置１の適所に配備される。この音声出力部３３としては、例えばスピーカが用いられる。
【００５６】
印刷部４は、印刷対象として選択された撮影画像および／または編集画像を印刷することにより印刷工程を実行するものであり、ＩＤタグリーダ／ライタ部４１、および、プリンタ部４２により構成されている。この印刷部４に対して、写真プリントの出力媒体となるシール紙１４２と、ＩＤタグ１４１とが、シール紙ユニット４３としてセットで納入されるようになっている。
【００５７】
プリンタ部４２は、出力すべき画像データが制御部１０から送られてくると、その画像データに基づいてシール紙１４２に印刷するものである。このプリンタ部４２としては、例えば昇華型プリンタが用いられる。なお、昇華型プリンタを用いる場合には、シール紙１４２およびＩＤタグ１４１に加えて、昇華型用インクフィルムがセットととなって納入されることになる。
【００５８】
ＩＤタグリーダ／ライタ部４１は、ＩＤタグ１４１に記録されている各種識別情報を読み出して制御部１０に出力する。ＩＤタグ１４１は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００５９】
制御部１０は、ＩＤタグリーダ／ライタ部４１で読み取った識別情報に基づいて、装着されたシール紙１４２およびインクフィルムが、当該写真撮影プリント装置１において利用可能なものであるかを判定し、利用可能である場合にのみプリンタ部４２を動作可能とする。すなわち、写真撮影プリント装置１において指定されているシール紙１４２およびインクフィルム以外は使用できないように設定されていることになる。
【００６０】
また、ＩＤタグ１４１に記録されている用紙枚数情報に基づいて、シール紙を使用するたびに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【００６１】
なお、用紙枚数をカウントダウンする際には、ＩＤタグ１４１に記録されている用紙枚数情報も書き換えることが望ましい。これにより、用紙を使い切った場合には、ＩＤタグ１４１に記録されている用紙枚数情報も０となり、このＩＤタグ１４１を無効にすることが可能となる。
【００６２】
また、ＩＤタグ１４１に記録されている用紙種類情報や、インク固有の色情報を読み出すことによって、これらを考慮して画像データの色成分などを補正することにより、そのシール紙１４２やインクフィルムに的確な画像出力を行うことが可能となる。
【００６３】
ＩＤタグ１４１としては、無線（ワイヤレス）によりデータ通信を行うことが可能な非接触型ＩＤタグと、端子が設けられた接触型ＩＤタグとがあり、ＩＤタグリーダ／ライタ部４１としては、これらの何れか一方あるいは両方に対応したものとなる。
【００６４】
なお、上述の例では、利用可能なシール紙１４２であるか否かを確認するために、ＩＤタグ１４１を利用しているが、これに限定されるものではなく、例えば、シール紙１４２およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００６５】
なお、本実施形態では、シール紙１４２として、粘着シートおよび該粘着シートの粘着面に貼り付けられている剥離シートからなるシールシートを想定しているが、これに限定されない。シール紙１４２の代わりに、通常の紙状媒体である紙状シートを用いるように本発明の写真撮影プリント装置１を構成することもできる。
【００６６】
また、本発明の写真撮影プリント装置１は、カーテン部２７を備えていてもよい。カーテン部２７は、撮影画像の背景となるカーテンを提供するものである。カーテンは、さまざまな色や模様を施されたものが用意され、撮影時に、ユーザが自由に選択できたり、写真撮影プリント装置１が自動で選択したりする。これら複数のカーテンは、撮影空間２０の背面（撮影部２の対面）に重ねて配置されており（図２（ａ）および（ｂ））、撮影時には、選択されたカーテンが、被写体の背後に写るよう、最前面に設置される。選択されたカーテンの設置は、制御部１０の背景制御部１５がカーテン部２７を制御することにより実行してもよいし、ユーザ自身が手動で行う構成としてもよい。
【００６７】
また、本実施形態では、カーテン部２７が複数のカーテンを提供する構成としたが、これに限定されない。カーテン部２７で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【００６８】
〔写真撮影プリント装置の構成−詳細〕
次に、視認性の悪化した画像の印刷を阻止するための、写真撮影プリント装置１の制御部１０および記録部５０についてより詳細に説明する。図１に示すとおり、制御部１０は、さらに内部に撮影画像取得部１１、画像編集部（編集画像作成手段）１２、および、印刷画像作成部（印刷画像作成手段）１３を有している。記録部５０は、撮影画像を記録する撮影画像記録部５１、画像編集において提供される、背景画像、フレーム画像、スタンプ画像などの提供用画像を記録する提供用画像記録部（画像記憶部）５２、編集画像に関する情報を記録する編集画像情報記録部５３、および、印刷画像を記録する印刷画像記録部５４を含んでいる。
【００６９】
撮影画像取得部１１は、被写体の撮影によって作成された撮影画像をカメラ部２３から取得するものである。撮影画像取得部１１は、取得した撮影画像を撮影画像記録部５１に記録する。
【００７０】
画像編集部１２は、ユーザの操作にしたがって、撮影画像に対し画像編集を実行するものである。画像編集の例としては、提供用画像記録部５２から読み出した背景画像および／またはフレーム画像を追加したり、提供用画像記録部５２から読み出したスタンプ画像を任意の位置に追加したり、タッチペンによる落書きを追加したりすることなどが挙げられる。しかしながら、画像編集は、上述した例に限定されず、写真撮影プリント装置１に接続された何らかの入力手段（入力部）をユーザが操作することによって、編集が実行され、当初の撮影画像に変更が加えられた結果（編集画像）を得られる編集であれば、どのような処理内容の編集工程であってもよい。
【００７１】
画像編集部１２は、画像編集を実行することにより編集画像を作成する。本実施形態では、編集画像は、複数のレイヤからなり、レイヤごとに、撮影画像および合成用画像が形成されている。合成用画像は、画像編集において撮影画像に対し付加された画像であり、例えば、背景画像、撮影画像、フレーム画像、１または複数のスタンプ画像の配置された画像、落書き画像などを含むものである。合成用画像を構成する各画像は、別々のレイヤに形成されていてもよい。
【００７２】
そして、画像編集部１２は、編集画像を記録する代わりに、編集画像に関する情報である編集画像情報を編集画像情報記録部５３に記録している。編集画像情報としては、撮影画像の識別情報、背景画像、撮影画像、およびフレーム画像の識別情報、スタンプ画像の識別情報と位置情報、落書き画像、その他各種の属性情報などが挙げられる。
【００７３】
印刷画像作成部１３は、複数の分割領域のそれぞれに、該分割領域のサイズに合わせた編集画像を配置した印刷画像を作成するものである。印刷画像における編集画像のサイズおよび配置は、通常、ユーザが複数のパターンの中から１つを選択することによって決定されるが、ユーザが自由に決定してもよいし、写真撮影プリント装置１がランダムに決定しても良い。印刷画像作成部１３は、作成した印刷画像記録部５４に記録する。そして、制御部１０は、適当なタイミングで印刷画像記録部５４に記録された印刷画像をシール紙１４２に印刷するようにプリンタ部４２に指示する。
【００７４】
次に、印刷画像作成部１３および提供用画像記録部５２の詳細について説明する。図７は、本実施形態の印刷画像作成部１３および提供用画像記録部５２の概略構成を示している。図示のように、印刷画像作成部１３は、サイズ対応画像取得部（変更サイズ画像取得手段）１６および画像合成部（画像合成手段）１７を有している。提供用画像記録部５２は、背景画像、フレーム画像、スタンプ画像などの提供用画像のそれぞれについて、８分割用（Ａ８判サイズ）の画像、１６分割用（Ａ９判サイズ）の画像、および３２分割用（Ａ１０判サイズ）の画像を含んでいる。
【００７５】
サイズ対応画像取得部１６は、編集画像情報記録部５３から合成用画像の識別情報を読み出し、読み出した識別情報に対応する提供用画像を提供用画像記録部５２から読み出す。このとき、サイズ対応画像取得部１６は、印刷画像の分割領域のサイズに対応するサイズの提供用画像を読み出す。例えば、上記分割領域のサイズがＡ５判サイズの印刷画像を１６分割したサイズである場合、１６分割用の画像が読み出されることになる。
【００７６】
サイズ対応画像取得部１６は、読み出した提供用画像を合成用画像として画像合成部１７に送出する。なお、合成用画像が複数の画像からなる場合、サイズ対応画像取得部１６は、提供用画像記録部５２から複数の提供用画像を読み出して画像合成部１７に送信することになる。
【００７７】
画像合成部１７は、サイズ対応画像取得部１６から取得した合成用画像と、上記分割領域のサイズに合わせた撮影画像とを合成するものである。具体的には、画像合成部１７は、編集画像情報記録部５３から撮影画像の識別情報を読み出し、読み出した識別情報に対応する撮影画像を撮影画像記録部５１から読み出す。次に、画像合成部１７は、読み出した撮影画像を、上記分割領域のサイズに合うように縮小または拡大する。そして、画像合成部１７は、上記分割領域のサイズに適合するように変形した撮影画像と、サイズ対応画像取得部１６から受け取った上記分割領域のサイズの合成用画像とを合成して、上記分割領域のサイズに合わせた編集画像となる。この編集画像を同じサイズの上記分割領域全てに配置する。サイズ対応画像取得部１６および画像合成部１７が上記分割領域の他のサイズに関しても同様の処理を行うことにより、印刷画像が完成し、完成した印刷画像を印刷画像記録部５４に記録する。
【００７８】
次に、印刷画像作成部１３が作成する画像の一例を説明する。図８（ａ）〜図８（ｃ）は、半分に縮小した編集画像を印刷画像作成部１３が作成する様子を示している。図８（ａ）は、図１９（ａ）と同じ編集画像である。但し、本実施形態では、編集画像をそのまま記録部５０に記録する代わりに、編集画像に関する情報を編集画像情報記録部５３に記録している。
【００７９】
図８（ａ）に示される編集画像を半分に縮小する場合、印刷画像作成部１３は、撮影画像に関しては、同図（ｂ）に示すように、半分に縮小した撮影画像を利用する。一方、合成用画像（図示の例では星印のフレーム画像）に関しては、同図（ｃ）に示すような、１６分割用の提供用画像を提供用画像記録部５２から読み出して合成用画像として利用する。同図（ｃ）に示す合成用画像は、同図（ａ）に示す編集画像の合成用画像と比べて、星の数を減らすとともに、星のサイズを約１／２１／２とした画像となっている。
【００８０】
そして、印刷画像作成部１３は、図８（ｂ）に示す撮影画像に同図（ｃ）に示す合成用画像を合成して、同図（ｄ）に示すような、半分に縮小した編集画像を取得する。同図（ｄ）に示す編集画像は、図１９（ｂ）に示す編集画像に比べて、前景画像が潰れることなく良好な画像となっていることが理解できる。
【００８１】
次に、印刷画像作成部１３が作成する画像の他の例を説明する。図９（ａ）〜図９（ｃ）は、１／４に縮小した編集画像を印刷画像作成部１３が作成する様子を示している。なお、図９（ａ）に示される編集画像は、図８（ａ）に示される編集画像と同様である。
【００８２】
図９（ａ）に示される編集画像を１／４に縮小する場合、印刷画像作成部１３は、撮影画像に関しては、同図（ｂ）に示すように、１／４に縮小した撮影画像を利用する。一方、合成用画像に関しては、同図（ｃ）に示すような、３２分割用の提供用画像を提供用画像記録部５２から読み出して合成用画像として利用する。同図（ｃ）に示す合成用画像は、同図（ａ）に示す編集画像の合成用画像と比べて、星の数を２つ減らすとともに、星のサイズを約１／４１／２＝約１／２とした画像となっている。
【００８３】
そして、印刷画像作成部１３は、図９（ｂ）に示す撮影画像に同図（ｃ）に示す合成用画像を合成して、同図（ｄ）に示すような、１／４に縮小した編集画像を取得する。同図（ｄ）に示す編集画像は、図１９（ｃ）に示す編集画像に比べて、前景画像が潰れることなく良好な画像となっていることが理解できる。
【００８４】
〔写真撮影プリント装置の処理の流れ〕
次に、本発明の写真撮影プリント装置１にて実行されるゲームの処理の流れについて説明する。本実施形態に係る写真撮影プリント装置１は、被写体であるユーザの写真を撮影する機能、撮影した写真に対して色調・明るさ補正、合成などの編集を自動で行う機能、編集した画像をプリントする機能を少なくとも有している。
【００８５】
図１０は、写真撮影プリント装置１にて実行されるゲームの処理の流れを示すフローチャートである。図１２（ａ）〜図１２（ｄ）は、写真撮影プリント装置１の撮影画像表示部２４の画面の表示例を示す図である。図１２（ｅ）は、写真撮影プリント装置１の編集画像表示部３１ａの画面の表示例を示す図である。
【００８６】
図１０に示すように、まず、写真撮影プリント装置１の表示制御部１２は、撮影空間２０の撮影部２に設置されている撮影画像表示部２４にデモ画面を表示する（Ｓ１０１）（図１２（ａ））。この状態で、硬貨処理部２１が所定の硬貨が投入されたことを検知すると（Ｓ１０２においてＹＥＳ）、表示制御部１２は、撮影画像表示部２４にゲーム中に流されるＢＧＭをユーザに選択させるための画面を表示し（図１２（ｂ））、ユーザからのＢＧＭ選択の入力を受け付ける（Ｓ１０３）。次に、表示制御部１２は、ユーザに撮影コースを選択させるための画面を撮影画像表示部２４に表示して（図１２（ｃ））、ユーザからの撮影コース選択の入力を受け付ける（Ｓ１０４）。本実施形態では、一例として、
Ａ：ノーマル撮影コース（ユーザが所望のカーテン（背景色）を選んで撮影）、
Ｂ：おまかせ撮影コース（カーテンを自動で選択し撮影）、
Ｃ：ポーズ撮影コース（ユーザがモデルサンプル画像（完成予想図）を選んでそれに基づいて撮影）、
の３コースを用意し、ユーザが好きなコースを選択できるものとする。
【００８７】
ユーザがノーマル撮影コースを選択すると（Ｓ１０４においてＡ）、撮影部２は、ノーマル撮影処理を実行する（Ｓ１０５）。ユーザがおまかせ撮影コースを選択すると（Ｓ１０４においてＢ）、撮影部２は、おまかせ撮影処理を実行する（Ｓ１０６）。ユーザがポーズ撮影コースを選択すると（Ｓ１０４においてＣ）、撮影部２は、ポーズ撮影処理を実行する（Ｓ１０７）。
【００８８】
撮影処理が終了すると、表示制御部１２は、移動案内を行う画面を撮影画像表示部２４に表示する（Ｓ１０８）（図１２（ｄ））。ユーザはこの段階で、撮影空間２０から編集空間３０ａ（または編集空間３０ｂ）に移動する。
【００８９】
編集空間３０では、編集部３がユーザの操作を受け付けて編集処理および印刷処理を実行する（Ｓ１０９）。その後、制御部１０は事後接客処理を実行する（Ｓ１１０）。なお、編集処理および印刷処理（Ｓ１０９）と事後接客処理（Ｓ１１０）の詳細については後述する。
【００９０】
事後接客処理が終了すると、表示制御部１２は、ユーザを印刷空間４０へ誘導するための移動案内の表示を行う（Ｓ１１１）。続いて、印刷部４は、プリント排出口４４ａ（または、プリント排出口４４ｂ）から、印刷画像をプリントしたシール紙を排出し（Ｓ１１２）、ゲームの一連の工程を終了する。
【００９１】
図１１は、編集処理および印刷処理の詳細を示している。図示のように、前半のＳ２０１〜Ｓ２０７が編集処理であり、後半のＳ２１１〜Ｓ２１４が印刷処理である。まず、画像編集部１２が編集処理を行う。画像編集部１２は、編集対象画像となる撮影画像を撮影画像記録部５１から取得する（Ｓ２０１）。次に、画像編集部１２は、タッチパネル部３１を用いて、事後接客処理（ゲーム）（Ｓ１１０）の種類を選択させる（Ｓ２０２）。
【００９２】
次に、ユーザがタッチパネル部３１の編集開始ボタンを操作すると（Ｓ２０３においてＹＥＳ）、画像編集部１２は、編集画像表示部３１ａに編集画面を表示させ、編集入力の受付を開始する（Ｓ２０４）。それから、所定の時間（例えば３分）が経過するか、或いは、タッチパネル部３１の終了ボタンが操作されるまで、画像編集部１２は、編集画像を表示させて編集入力の受付を継続し（Ｓ２０５・Ｓ２０６）、その後、編集入力の受付を終了する（Ｓ２０７）。
【００９３】
続いて、印刷画像作成部１３が印刷処理を行う。まず、印刷画像作成部１３は、ユーザに印刷レイアウト（分割数）を選択させる（Ｓ２１１）。
【００９４】
この場合、印刷画像作成部１３は、例えば、図１２（ｅ）に示すような画面を編集画像表示部３１ａ（編集部３）に表示させる。このとき、印刷画像作成部１３は、おすすめのレイアウトが分かるように、レイアウトを強調表示させたり、ロゴ１３１を表示させたりできる。さらに、ユーザグループが分割したシールを複数人で分配することを想定して、分配する人数ごとにおすすめのレイアウトを強調表示してもよい。例えば、「三人用」などの文字情報１３２を表示すれば、ユーザは、何人で分配するかに応じて最適なレイアウトを即座に選択することが可能となる。
【００９５】
次に、印刷画像作成部１３は、選択された印刷レイアウトに含まれる分割領域に関して、或るサイズに応じた撮影画像と合成用画像とを合成して、当該サイズの分割領域に配置する（Ｓ２１２）。このとき、本実施形態の印刷画像作成部１３は、当該サイズに縮小または拡大した合成用画像の代わりに、当該サイズの１または複数の提供用画像を提供用画像記録部５２から読み出して合成用画像として利用している。
【００９６】
次に、印刷画像作成部１３は、上記分割領域の他のサイズに関しても同様に行って、印刷画像を作成する（Ｓ２１３）。そして、作成した印刷画像の印刷をプリンタ部４２が開始し（Ｓ２１４）、印刷の完了後、印刷処理を終了する。
【００９７】
図１３〜図１５は、それぞれ８分割、１６分割（混合分割）、および３２分割した印刷画像が印刷されたシール紙を示している。図１３〜図１５を参照すると、８分割サイズのフレーム画像ＦＬ１・ＦＬ２（図１３・図１４）に対し、１６分割サイズのフレーム画像ＦＬ１’・ＦＬ２’（図１４）と３２分割サイズのフレーム画像ＦＬ１’’・ＦＬ２’’（図１５）とが潰れずに良好に印刷されていることが理解できる。また、８分割サイズの背景画像ＢＧ（図１３）に対し、３２分割サイズの背景画像ＢＧ’’（図１４・図１５）が潰れずに良好に印刷されていることが理解できる。また、８分割サイズのスタンプ画像ＳＴ（図１３）に対し、３２分割サイズのスタンプ画像ＳＴ’’（図１４・図１５）が潰れずに良好に印刷されていることが理解できる。
【００９８】
なお、本実施形態では、提供用画像記録部５２に８分割サイズ、１６分割サイズ、および３２分割サイズの提供用画像を記録しているが、これらに限定されるものではなく、種々の分割サイズの提供用画像を記録することができる。
【００９９】
次に、編集・印刷処理（Ｓ１０９）の後に行われる事後接客処理（Ｓ１１０）の詳細について説明する。事後接客処理は、ユーザが印刷レイアウトを選択してから（Ｓ２１１）、シール紙が印刷されて排出される（Ｓ１１２）までの待ち時間に、ユーザを退屈させないために行われるものである。
【０１００】
事後接客処理の例としては、撮影画像または編集画像の所定サーバへの投稿、投稿された撮影画像または編集画像に対する投票、いわゆるデコレーションメールの作成などのような各種ミニゲームの実行や、撮影画像または編集画像をユーザの携帯電話機（通信装置）に送信する携帯送信サービスなどのような各種サービスの提供が挙げられる。制御部１０は、複数の事後接客処理を実行できるようになっており、何れかの事後接客処理がユーザによって選択される（Ｓ２０２）。
【０１０１】
事後接客処理のうち、上記携帯送信サービスが選択された場合、制御部１０は、印刷画像記録部５４に記録された各種サイズの編集画像を表示する。或いは、制御部１０は、提供用画像記録部５２および編集画像情報記録部５３に記録された提供用画像および編集画像情報を利用して、ユーザの携帯電話機で利用可能な各種画像サイズに対応するサイズの編集画像を作成して表示する。
【０１０２】
なお、タッチパネル部３１の表示画面に、全てのサイズの編集画像を表示してもよい。この場合、全ての編集画像を迅速に確認することができる。また、サイズを大・中・小と大まかに分類し、この分類ごとに編集画像を表示してもよい。この場合、ユーザの所望するサイズの編集画像のみを表示できるので、該編集画像の確認が容易となる。なお、各分類への表示の切替えの例としては、タブを利用した切替えが挙げられる。また、タッチパネル部３１にて或るサイズの編集画像を表示し、表示画面にタッチするごとに、サイズの異なる編集画像を同じ位置に表示してもよい。この場合、ユーザの所望する編集画像を何れのサイズで送信するかを容易に確認することができる。
【０１０３】
次に、ユーザが送信を所望する編集画像を選択し、携帯電話機のメールアドレスを入力すると、制御部１０は、選択された編集画像を電子メールに添付し、入力されたメールアドレスを送信先として、通信部（送信部）（図示せず）を介して送信する。なお、赤外線通信等の近距離通信により、写真撮影プリント装置１から携帯電話機に編集画像を送信してもよい。この場合、メールアドレスの入力は不要である。
【０１０４】
したがって、携帯電話機が受信する編集画像は、提供用画像記録部５２からの提供用画像を合成用画像として利用しているので、変形による合成用画像の潰れを回避した良好な画像となる。したがって、携帯送信サービスによるユーザの満足度が向上する。
【０１０５】
なお、編集画像を所定のサーバを介してユーザの携帯電話機に送信する構成であってもよい。具体的には、ユーザが選択した編集画像と、ユーザの携帯電話機のメールアドレスとを、通信部（図示せず）を介して上記サーバに送信する。上記サーバは、上記編集画像を保存（蓄積）し、その保存場所を示すＵＲＬ（Uniform Resource Locators）を含む電子メールを上記メールアドレスに送信する。ユーザは、携帯電話機を用いて、受信したメールアドレスに含まれるＵＲＬを指定することにより、上記サーバから上記編集画像をダウンロードすることができる。
【０１０６】
さらに、上記サーバは、写真撮影プリント装置１と同様に編集画像を保存してもよい。すなわち、上記サーバは、写真撮影プリント装置１における印刷画像作成部１３、撮影画像記録部５１、提供用画像記録部５２、および編集画像情報記録部５３と同様の構成を含んでおり、写真撮影プリント装置１から編集画像として撮影画像と編集画像情報とを受信して保存する。
【０１０７】
次に、上記サーバは、ユーザの携帯電話機から編集画像のリクエストを取得すると、上記携帯電話機から機種情報を取得し、取得した機種情報に基づいて、上記携帯電話機にて利用可能な画像サイズを判別し、判別した画像サイズに対応するサイズの編集画像を、印刷画像作成部１３と同様の処理を行って作成する。そして、上記サーバは、作成した編集画像を上記携帯電話機に送信する。
【０１０８】
したがって、携帯電話機が受信する編集画像は、提供用画像記録部５２からの提供用画像を合成用画像として利用しているので、変形による合成用画像の潰れを回避した良好な画像となる。したがって、携帯送信サービスによるユーザの満足度が向上する。さらに、写真撮影プリント装置１から上記サーバに、編集画像をサイズごとに送信する代わりに、撮影画像と編集画像情報とを送信すればよいので、通信リソースおよび上記サーバにおけるリソースの負担が軽減する。
【０１０９】
なお、本実施形態では、編集画像を縮小した場合の潰れについて主に説明している。しかしながら、編集画像を拡大した場合でも、図形等のサイズが大きくなって、被写体とのバランスが悪化することが考えられる。このような問題点に対しても、本実施形態の写真撮影プリント装置１では、図形等のサイズの拡大を抑制することにより、被写体とのバランスが悪化することを防止できる。
【０１１０】
〔変形例〕
本実施形態では、印刷画像作成部１３のサイズ対応画像取得部１６が、印刷画像の分割領域のサイズに対応するサイズの提供用画像を提供用画像記録部５２から読み出して合成用画像としているが、これに限定されるものではない。
【０１１１】
図１６は、上記分割領域のサイズに対応するサイズの合成用画像を取得する別の例を示している。図示の例では、提供用画像記録部５２からに記録されている８分割サイズの提供用画像から、１６分割サイズまたは３２分割サイズを抽出し、これを合成用画像としている。この場合、提供用画像記録部５２に記録する画像データを減らすことができるので、記録部５０の記録容量を減らすことができる。
【０１１２】
図１７は、上記分割領域のサイズに対応するサイズの合成用画像を取得する他の例を示している。同図（ａ）は、８分割サイズの合成用画像として、３個のハート型のスタンプ画像を利用している例を示している。
【０１１３】
これに対し、図１７（ｂ）では、上記スタンプ画像に関して、３２分割サイズに縮小した位置を維持しつつ、画像が潰れないように、画像の縮小率を通常の縮小率１／ｎから例えば約１／ｎ１／２に抑制している。なお、同図（ｃ）は、比較例として、同図（ａ）の合成用画像を３２分割サイズに通常の縮小率１／ｎで縮小したものを示している。図１７（ｂ）および図１７（ｃ）を比較すると、スタンプ画像が潰れることなく良好な画像となっていることが理解できる。
【０１１４】
なお、写真撮影プリント装置１は、別の装置または記録媒体から撮影画像を取得し、取得した撮影画像に対して編集を施して印刷を行ってもよい。この場合、撮影部２を省略することができる。さらに、編集画像を印刷する代わりに、携帯電話機などの外部の通信装置に送信する場合、印刷部４を省略して通信部を設けてもよい。
【０１１５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１６】
最後に、写真撮影プリント装置１の各ブロック、特に制御部１０は、ハードウェアロジックによって構成してもよいし、次のようにＣＰＵを用いてソフトウェアによって実現してもよい。
【０１１７】
すなわち、写真撮影プリント装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである写真撮影プリント装置１の制御プログラムのプログラムコード（実行形式プログラム、中間コードプログラム、ソースプログラム）をコンピュータで読み取り可能に記録した記録媒体を、上記写真撮影プリント装置１に供給し、そのコンピュータ（またはＣＰＵやＭＰＵ）が記録媒体に記録されているプログラムコードを読み出し実行することによっても、達成可能である。
【０１１８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１９】
また、写真撮影プリント装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２０】
本発明は、写真撮影を行うとともに、その撮影画像に編集処理を施してプリント出力する写真撮影プリント装置一般に適用できる。
【図面の簡単な説明】
【０１２１】
【図１】本発明の実施形態に係る写真撮影プリント装置の要部構成を示すブロック図である。
【図２】（ａ）および（ｂ）は、本実施形態に係る写真撮影プリント装置の外観を示す斜視図である。
【図３】本実施形態に係る写真撮影プリント装置の撮影部の正面図である。
【図４】本実施形態に係る写真撮影プリント装置の編集部の正面図である。
【図５】本実施形態に係る写真撮影プリント装置の印刷部の正面図である。
【図６】本実施形態に係る写真撮影プリント装置の上面図である。
【図７】写真撮影プリント装置の印刷画像作成部および提供用画像記録部の概略構成を示すブロック図である。
【図８】（ａ）〜（ｄ）は、半分に縮小した編集画像を上記印刷画像作成部が作成する様子を示す図である。
【図９】（ａ）〜（ｄ）は、１／４に縮小した編集画像を上記印刷画像作成部が作成する様子を示す図である。
【図１０】写真撮影プリント装置にて実行されるゲームの処理の流れを示すフローチャートである。
【図１１】上記処理における編集処理および印刷処理の流れを示すフローチャートである。
【図１２】（ａ）〜（ｄ）は、写真撮影プリント装置の撮影画像表示部の画面の表示例を示す図である。（ｅ）は、写真撮影プリント装置の編集画像表示部の画面の表示例を示す図である。
【図１３】写真撮影プリント装置が、８分割した印刷画像を印刷したシール紙を示す図である。
【図１４】写真撮影プリント装置が、１６分割した印刷画像を印刷したシール紙を示す図である。
【図１５】写真撮影プリント装置が、３２分割した印刷画像を印刷したシール紙を示す図である。
【図１６】上記印刷画像作成部が印刷画像の分割領域のサイズに対応するサイズの合成用画像を取得する別の変形例を示す図である。
【図１７】上記印刷画像作成部が印刷画像の分割領域のサイズに対応するサイズの合成用画像を取得する他の変形例を示す図であり、（ａ）は元の編集画像であり、（ｂ）は上記他の変形例で作成した編集画像であり、（ｃ）は比較例である。
【図１８】従来の画像撮影編集装置におけるゲームの流れを示すフローチャートである。
【図１９】（ａ）〜（ｃ）は編集画像を縮小することによる問題点を示す図である。
【符号の説明】
【０１２２】
１    写真撮影プリント装置（画像編集出力装置）
２    撮影部
３    編集部
４    印刷部（画像出力部）
１０    制御部
１２    画像編集部（編集画像作成手段）
１３    印刷画像作成部（画像サイズ変更手段）
１６    サイズ対応画像取得部（変更サイズ画像取得手段）
１７    画像合成部（画像合成手段）
５２    提供用画像記録部（画像記憶部）
【図１】
0004770567.tif 000002
【図２】
0004770567.tif 000003
【図３】
0004770567.tif 000004
【図４】
0004770567.tif 000005
【図５】
0004770567.tif 000006
【図６】
0004770567.tif 000007
【図７】
0004770567.tif 000008
【図８】
0004770567.tif 000009
【図９】
0004770567.tif 000010
【図１０】
0004770567.tif 000011
【図１１】
0004770567.tif 000012
【図１２】
0004770567.tif 000013
【図１３】
0004770567.tif 000014
【図１４】
0004770567.tif 000015
【図１５】
0004770567.tif 000016
【図１６】
0004770567.tif 000017
【図１７】
0004770567.tif 000018
【図１８】
0004770567.tif 000019
【図１９】
0004770567.tif 000020